(57)【要約】  【課題】寸法を可変とし、設置場所や使い方などに対して制限を受け難くする。  【解決手段】プラグの複数の端子がそれぞれ挿入される端子挿入孔１ｈ，１ｈを３組み有し、これら各組みの端子挿入孔１ｈ，１ｈの直下に、プラグの複数の端子とそれぞれ電気的に接続される端子受け部を収納する器体１を、複数屈曲自在に連結して備えるとともに、一の器体１に収納される複数の端子受け部と別の器体１に収納される複数の端子受け部とをそれぞれ電気的に接続するための複数の接続部材と、一の器体１に収納される複数の端子受け部とそれぞれ電気的に接続される複数の電線を含む電源コード９０と、この複数の電線とそれぞれ電気的に接続される端子９１１，９１１を有する電源プラグ９１とを備えた。【選択図】図１
2005259452.tif 000002
【特許請求の範囲】
【請求項１】
プラグの複数の端子がそれぞれ挿入される複数の端子挿入孔を有し、これら複数の端子挿入孔の直下に、前記プラグの複数の端子とそれぞれ電気的に接続される複数の端子受け部を収納する器体を、複数屈曲自在に連結して備えるとともに、前記複数の器体のうち一の器体に収納される前記複数の端子受け部と別の器体に収納される前記複数の端子受け部とをそれぞれ電気的に接続するための複数の接続部材と、前記複数の器体のうち一の器体に収納される前記複数の端子受け部とそれぞれ電気的に接続される複数の電線を含む電源コードと、この電源コードの複数の電線とそれぞれ電気的に接続される複数の端子を有する電源プラグとを備えることを特徴とするテーブルタップ。
【請求項２】
前記複数の器体として、中空の角柱状にそれぞれ形成される第１器体および第２器体を備え、これら第１器体および第２器体を、各一の側面が対面自在となるように各一の端面側で屈曲自在に連結して構成され、前記第１器体および前記第２器体の各他の側面に、前記複数の端子挿入孔が設けられていることを特徴とする請求項１記載のテーブルタップ。
【請求項３】
前記複数の器体として、中空の角柱状にそれぞれ形成される第１器体および第２器体を備え、これら第１器体および第２器体を、各一の端面側で屈曲自在になるように軸支して構成されることを特徴とする請求項１または２記載のテーブルタップ。
【請求項４】
第１仮固定手段と、第２仮固定手段とを備えるとともに、前記複数の器体として、中空の角柱状にそれぞれ形成される第１器体および第２器体を備え、これら第１器体および第２器体を、各一の端面が対面自在となるとともに各一の側面が対面自在となるように前記各一の端面側で屈曲自在に連結して構成され、前記第１仮固定手段は、前記第１器体および前記第２器体を、これらの各一の端面が対面した状態で仮固定し、前記第２仮固定手段は、前記第１器体および前記第２器体を、これらの各一の側面が対面した状態で仮固定することを特徴とする請求項１から３のいずれかに記載のテーブルタップ。
【請求項５】
電源コードを集線するための集線手段を備えることを特徴とする請求項１から４のいずれかに記載のテーブルタップ。
【発明の詳細な説明】
【技術分野】
【０００１】
本発明は、テーブルタップに関するものである。
【背景技術】
【０００２】
従来、プラグの複数の端子がそれぞれ挿入される複数の端子挿入孔からなるコンセント口を複数口備えるテーブルタップには、例えば、各コンセント口に対する電源の入り切りを個別ないし一括に行えるものやコンセント本体と外郭とを備えるものなど、各種形態のものが存在している（例えば特許文献１等参照）。
【特許文献１】特開２００２−１８４５４１号公報
【発明の開示】
【発明が解決しようとする課題】
【０００３】
しかしながら、従来のテーブルタップでは、コンセント口の数や入り切りのためのスイッチの有無などの仕様を基に形状が決定されるので、その形状が一旦決定されると、テーブルタップの寸法が当然に固定となるほか、テーブルタップの設置場所や使い方などに制限を受けるという問題があった。
【０００４】
本発明は、上記事情に鑑みてなされたものであり、寸法を可変とすることができ、設置場所や使い方などに対して制限を受け難くすることができるテーブルタップを提供することを目的とする。
【課題を解決するための手段】
【０００５】
上記課題を解決するための請求項１記載の発明のテーブルタップは、プラグの複数の端子がそれぞれ挿入される複数の端子挿入孔を有し、これら複数の端子挿入孔の直下に、前記プラグの複数の端子とそれぞれ電気的に接続される複数の端子受け部を収納する器体を、複数屈曲自在に連結して備えるとともに、前記複数の器体のうち一の器体に収納される前記複数の端子受け部と別の器体に収納される前記複数の端子受け部とをそれぞれ電気的に接続するための複数の接続部材と、前記複数の器体のうち一の器体に収納される前記複数の端子受け部とそれぞれ電気的に接続される複数の電線を含む電源コードと、この電源コードの複数の電線とそれぞれ電気的に接続される複数の端子を有する電源プラグとを備えることを特徴とする。
【０００６】
この構成では、屈曲自在に連結される各器体を屈曲することができるので、寸法を可変とすることができ、設置場所や使い方などに対して制限を受け難くすることができる。
【０００７】
請求項２記載の発明は、請求項１記載のテーブルタップにおいて、前記複数の器体として、中空の角柱状にそれぞれ形成される第１器体および第２器体を備え、これら第１器体および第２器体を、各一の側面が対面自在となるように各一の端面側で屈曲自在に連結して構成され、前記第１器体および前記第２器体の各他の側面に、前記複数の端子挿入孔が設けられていることを特徴とする。この構成では、第１器体および第２器体を屈曲して各一の側面を対面させても、各器体の複数の端子挿入孔が他の器体の一の側面で塞がれることがないので、第１器体および第２器体を屈曲しない状態でも、不完全に屈曲した状態でも、完全に屈曲した状態でも使用可能となる。
【０００８】
請求項３記載の発明は、請求項１または２記載のテーブルタップにおいて、前記複数の器体として、中空の角柱状にそれぞれ形成される第１器体および第２器体を備え、これら第１器体および第２器体を、各一の端面側で屈曲自在になるように軸支して構成されることを特徴とする。この構成でも、寸法を可変とすることができ、設置場所や使い方などに対して制限を受け難くすることができる。
【０００９】
請求項４記載の発明は、請求項１から３のいずれかに記載のテーブルタップにおいて、第１仮固定手段と、第２仮固定手段とを備えるとともに、前記複数の器体として、中空の角柱状にそれぞれ形成される第１器体および第２器体を備え、これら第１器体および第２器体を、各一の端面が対面自在となるとともに各一の側面が対面自在となるように前記各一の端面側で屈曲自在に連結して構成され、前記第１仮固定手段は、前記第１器体および前記第２器体を、これらの各一の端面が対面した状態で仮固定し、前記第２仮固定手段は、前記第１器体および前記第２器体を、これらの各一の側面が対面した状態で仮固定することを特徴とする。この構成では、第１器体および第２器体を、これらの各一の端面が対面した状態に保つことができるほか、第１器体および第２器体を、これらの各一の側面が対面した状態に保つことができる。
【００１０】
請求項５記載の発明は、請求項１から４のいずれかに記載のテーブルタップにおいて、電源コードを集線するための集線手段を備えることを特徴とする。この構成では、複数の端子挿入孔へのプラグのコードを集線手段で集線することができるとともに、自己の電源コードの余長処理を集線手段で行うことができる。
【発明の効果】
【００１１】
本発明によれば、寸法を可変とすることができ、設置場所や使い方などに対して制限を受け難くすることができる。
【発明を実施するための最良の形態】
【００１２】
（実施形態１）
図１は本発明による実施形態１のテーブルタップの斜視図、図２，図３は同テーブルタップの各器体の連結構造を示す図である。
【００１３】
本実施形態１のテーブルタップは、図１，図２に示すように、プラグ（図１２（ａ）のＰ１０参照）の複数（本実施形態１では２つ）の端子がそれぞれ挿入される複数の端子挿入孔１ｈ，１ｈを３組み有する器体１を、複数（図１では２つ）備えているとともに、両端部の径が中央部の径より大きい絶縁性の軸２と、各端子受け部３と、各導電部材４と、各接続部材５と、電源コード９０と、電源プラグ９１とを備えている。
【００１４】
複数の器体１，１は、いずれも例えば絶縁樹脂製のボディおよびカバーにより、側面１ｃ，１ｄ，１ｅ，１ｆが矩形状となる中空の角柱状に形成されてなり、それぞれ、一の端面１ａ，１ａが図１（ａ）に示すように対面自在となるとともに一の側面１ｃ，１ｃが図１（ｃ）に示すように対面自在となるように、図２に示すように一の端面１ａ，１ａ側で屈曲自在に連結されている。
【００１５】
つまり、図２（ａ）に示すように、各器体１の一の端面１ａおよび一の側面１ｃの角部１ｇには、円柱状に形成され軸上に角部１ｇと平行となる孔１２ａを有する軸受け部１２が、複数一体に形成されているとともに、各軸受け部１２の側面と面一となるような凹部１３が複数形成されている。同図では、右方の器体１の角部１ｇの中央および両端に、それぞれ軸受け部１２，１２，１２が設けられている一方、それらの間に填り込む軸受け部１２，１２が左方の器体１の角部１ｇに設けられている。そして、図２（ｂ）に示すように、各軸受け部１２の各孔１２ａに軸２が挿通されることで、複数の器体１，１が、それぞれ、一の端面１ａ，１ａが対面自在となるとともに一の側面１ｃ，１ｃが対面自在となるように、一の端面１ａ，１ａ側で屈曲自在に連結される。
【００１６】
また、各器体１は、図２に示すように、一の側面１ｃと直交する他の側面１ｄに上述の複数の端子挿入孔１ｈ，１ｈを３組み有し、各組みの端子挿入孔１ｈ，１ｈの直下に、プラグＰ１０の複数の端子とそれぞれ電気的に接続される複数の端子受け部３（３０），３（３１）を収納しているとともに、それら各組みの端子受け部３（３０），３（３１）をそれぞれ電気的に接続するための導電部材４（４０），４（４１）を収納している。
【００１７】
これら導電部材４０，４１のうち、一方の導電部材４０は、各端子挿入孔１ｈと対面する矩形平板状の中央部４００が平板状の両端部４０１，４０１を平行ないし面一状態で一体に保持するコ字状に形成されている。そして、導電部材４０は、中央部４００から各組みの一方（図では右方）の各端子挿入孔１ｈ側に突出するように、各組みの端子受け部３０，３１のうち一方の各端子受け部３０を一体に保持している。また、各端部４０１には孔４０１ａが穿設されている。
【００１８】
他方の導電部材４１は、上記両端部４０１，４０１間で各端子挿入孔１ｈと対面する矩形平板状の中央部４１０が断面Ｌ字状の両端部４１１，４１１を先端外向きにして基端を対面状態で一体に保持する断面π字状に形成されている。そして、導電部材４１は、中央部４１０から各組みの他方（左方）の各端子挿入孔１ｈ側に突出するように、他方の各端子受け部３１を一体に保持している。また、各端部４１１の先端には、上記孔４０１ａと同軸となる孔４１１ａが穿設されている。なお、各端子受け部３は、いわゆる刃受けばねになっており、各端子挿入孔１ｈはいわゆる栓刃挿入孔となっている。
【００１９】
各接続部材５は、図３に示すように、複数の器体１，１のうち一の器体１に収納される各組みの端子受け部３０，３１と別の器体１に収納される各組みの端子受け部３０，３１とをそれぞれ電気的に接続するためのものであり、２個一組として４個設けられ、いずれも導電板により矩形平板状に形成されている。
【００２０】
つまり、各接続部材５は、一端に孔５ａを有し、他端に孔５ｂを有している。そして、一方の組みの接続部材５，５は、孔５ａ，５ａと導電部材４０，４０の孔４０１ａ，４０１ａとに対してリベットなどでかしめ固定することにより、各一端が導電部材４０，４０とそれぞれ電気的および機械的に接続される。また、一方の組みの接続部材５，５は、孔５ｂ，５ｂに軸２が挿通されることにより、各他端が軸２で軸支されて互いに接触するようになっている。図２（ａ）の例では、一方の組みの接続部材５，５の各他端が、右方の器体１における中央の軸受け部１２と左方の器体１における側面１ｆ（側面１ｄの背面に当たる面）側の軸受け部１２との間に介設されることにより、好適に接触して電気的に接続されるようになっている。これにより、一の器体１の各端子受け部３０と別の器体１の各端子受け部３０とが電気的に接続されることになる。
【００２１】
他方の組みの接続部材５，５は、図３に示すように、孔５ａ，５ａと導電部材４１，４１の孔４１１ａ，４１１ａとに対してリベットなどでかしめ固定することにより、各一端が導電部材４１，４１とそれぞれ電気的および機械的に接続される。また、他方の組みの接続部材５，５は、孔５ｂ，５ｂに軸２が挿通されることにより、各他端が軸２で軸支されて互いに接触するようになっている。図２（ａ）の例では、他方の組みの接続部材５，５の各他端が、右方の器体１における中央の軸受け部１２と左方の器体１における側面１ｄ側の軸受け部１２との間に介設されることにより、好適に接触して電気的に接続されるようになっている。これにより、一の器体１の各端子受け部３１と別の器体１の各端子受け部３１とが電気的に接続されることになる。
【００２２】
電源コード９０は、図１（ａ）に示すように、複数の器体１，１のうち、一（図では右方）の器体１に収納される各組みの端子受け部３，３とそれぞれ電気的に接続される複数の電線（図示せず）を含むものであり、一の器体１における他の端面１ｂからブッシング９２を介して外部に引き出されている。電源コード９０の複数の電線は、一端が例えば導電部材４０，４１の孔４０１ａ，４１１ａの位置に接続される一方、他端が電源プラグ９１の有する複数の端子９１１，９１１にそれぞれ電気的に接続される。
【００２３】
このような構成の本実施形態１によれば、屈曲自在に連結される各器体１を屈曲することができるので、寸法を可変とすることができ、設置場所や使い方などに対して制限を受け難くすることができる。例えば、コーナでは図１（ｂ）に示すように直角に屈曲して使用することができるほか、図１（ｃ）に示すようにコンパクトに折り畳んで使用することもできる。
【００２４】
また、器体１，１を屈曲して一の側面１ｃ，１ｃを対面させても、各器体１の各組みの端子挿入孔１ｈ、１ｈが他の器体１の一の側面１ｃで塞がれることがないので、図１に示すように、器体１，１を屈曲しない状態でも、不完全に屈曲した状態でも、完全に屈曲した状態でも使用可能となる。
【００２５】
さらに、複数の器体１，１の接続部として、機械的強度を持たせる機械的可動部となる軸２および各軸受け部１２と、電気的接続機能を持つ電気的可動部となる各接続部材５とを備えるので、耐久性を高めることができる。例えば、軸２の両端部の径が中央部の径より大きいので、両端部で負荷（応力）を吸収することができる。
【００２６】
なお、実施形態１の変形例として、図４，図５に示すように、皿バネ６を設け、この皿バネ６により接続部を回転自在とする構造にしてもよい。
【００２７】
また、実施形態１では、各器体１の他の側面１ｄに、端子挿入孔１ｈ，１ｈが設けられる構成になっているが、一の側面１ｃを除く他の側面１ｄ，１ｅ，１ｆの全部または一部に端子挿入孔１ｈ，１ｈが設けられる構成でもよい。例えば、図６に示すように、各器体１の他の側面１ｅに各組みの端子挿入孔１ｈ，１ｈを設けてもよい。あるいは、図７に示すように、器体１，１のうち、一方（図では左方）の器体１の他の側面１ｄに各組みの端子挿入孔１ｈ，１ｈを設けるとともに、他方（右方）の器体１の他の側面１ｆに各組みの端子挿入孔１ｈ，１ｈを設けるようにしてもよい。このような構成によれば、伸ばしたときにはスリムに、畳んだときにはコンパクトに使用することができるほか、立てたり寝かしたりすることでプラグＰ１０の出る方向を変えることができる。また、どのような使用形態であってもいわゆるコンセント口が幾つ有るかを視認することができる。
【００２８】
さらに、実施形態１の変形例として、図８（ａ）に示すように、各コンセント口１ｉに対する電源の入り切りを個別に行うための個別スイッチ７１を例えば他の側面１ｅに設ける構成でも、図８（ｂ）に示すように、各コンセント口１ｉに対する電源の入り切りを一括に行うための一括スイッチ７０を例えばいずれか（図では左方）の器体１の側面１ｅに設ける構成でもよい。あるいは、図８（ｃ）に示すように、それら一括スイッチ７０および個別スイッチ７１を設ける構成でもよい。
【００２９】
（実施形態２）
図９は本発明による実施形態２のテーブルタップの斜視図である。
【００３０】
本実施形態２のテーブルタップは、実施形態１との相違点として、図９に示すように、第１仮固定部材として、器体１，１を、これらの一の端面１ａ，１ａが対面した状態で仮固定する図示しないマグネットおよび金属板を備えているとともに、第２仮固定部材８２として、器体１，１を、これらの一の側面１ｃ，１ｃが対面した状態で仮固定するマグネット８２０および金属板８２１を備えている。
【００３１】
第１仮固定部材としてのマグネットおよび金属板は、器体１，１の一の端面１ａ，１ａにそれぞれ取着される一方、第２仮固定部材８２としてのマグネット８２０および金属板８２１は、器体１，１の一の側面１ｃ，１ｃにそれぞれ取着される。
【００３２】
このような構成の本実施形態２によれば、器体１，１を、これらの一の端面１ａ，１ａが対面した状態に保つことができるほか、器体１，１を、これらの一の側面１ｃ，１ｃが対面した状態に保つことができる。
【００３３】
なお、実施形態２の変形例として、図１０に示すように、第１仮固定部材に代えて、器体１，１の一の端面１ａ，１ａにそれぞれ形成される凸部および凹部を第１仮固定部として設けるとともに、第２仮固定部材８２に代えて、器体１，１の一の側面１ｃ，１ｃにそれぞれ形成される凸部８４０および凹部８４１を第２仮固定部８４として設けるようにしてもよい。このような構成でも、実施形態２と同様の効果を奏することができる。
【００３４】
（実施形態３）
図１１は本発明による実施形態３のテーブルタップを示す図、図１２は同テーブルタップの使用例を示す図である。
【００３５】
本実施形態３のテーブルタップは、実施形態１または２との相違点として、図１１に示すように、電源コードを集線するためのフック状の集線部１ｊを一対、一方（上方）の器体１の他の側面１ｅに一体に備えている。
【００３６】
このような構成の本実施形態３によれば、図１２（ａ）に示すように、各組みの端子挿入孔１ｈ，１ｈへのプラグＰ１０のコードＰ１１を集線部１ｊで集線することができるとともに、図１２（ｂ）に示すように、自己の電源コード９０の余長処理を各集線部１ｊで行うことができる。
【００３７】
なお、本発明の複数の接続部材は、矩形平板状の導電板に限らず、例えば上記各構成例の場合には一対の電線でも構わない。また、器体１は、２つに限らず、３つ以上の器体１を屈曲自在に連結した構成でもよい。さらに、接地極に対応する構成でもよい。
【図面の簡単な説明】
【００３８】
【図１】本発明による実施形態１のテーブルタップの斜視図である。
【図２】同テーブルタップの各器体の連結構造を示す図である。
【図３】同テーブルタップの各器体の連結構造を示す図である。
【図４】実施形態１の変形例を示す図である。
【図５】実施形態１の変形例を示す図である。
【図６】実施形態１の変形例を示す図である。
【図７】実施形態１の変形例を示す図である。
【図８】実施形態１の変形例を示す図である。
【図９】本発明による実施形態２のテーブルタップの斜視図である。
【図１０】実施形態２の変形例を示す図である。
【図１１】本発明による実施形態３のテーブルタップを示す図である。
【図１２】同テーブルタップの使用例を示す図である。
【符号の説明】
【００３９】
１  器体
１ａ，１ｂ  端面
１ｃ〜１ｆ  側面
１ｇ  角部
１ｈ  端子挿入孔
１ｊ  集線部
１２  軸受け部
１３  凹部
２  軸
３  端子受け部
４  導電部材
５  接続部材
６  皿バネ
７０  一括スイッチ
７１  個別スイッチ
８２  第２仮固定部材
８４  第２仮固定部
９０  電源コード
９１  電源プラグ
９２  ブッシング
【図１】
2005259452.tif 000003
【図２】
2005259452.tif 000004
【図３】
2005259452.tif 000005
【図４】
2005259452.tif 000006
【図５】
2005259452.tif 000007
【図６】
2005259452.tif 000008
【図７】
2005259452.tif 000009
【図８】
2005259452.tif 000010
【図９】
2005259452.tif 000011
【図１０】
2005259452.tif 000012
【図１１】
2005259452.tif 000013
【図１２】
2005259452.tif 000014